(57)【要約】【課題】給紙カセットのサイズ登録操作を、コントロールパネル上での手入力作業で行う場合は、手間が掛かると共に、入力ミスの発生が避けられない。【解決手段】  用紙サイズ情報の検知機能を備えるＦＢＳ（フラットベッドタイプスキャナ）と、プリンタ４用の複数の給紙カセット３０と、を備える複合機１００に、ＭＰＵ１５のモードを、給紙カセット３０に対する用紙サイズの登録モードに設定するモード設定手段と、登録対象の給紙カセットを特定するカセット特定手段と、を備え、前記登録モードにおいて、ＭＰＵ１５は、ＦＢＳで検知された用紙サイズ情報と、登録対象の給紙カセット３０とを、対応付けてＲＡＭ１７に記憶させる。【選択図】図８
2005187099.tif 000002
【特許請求の範囲】
【請求項１】
用紙サイズ情報の検知機能を備えるＦＢＳ（フラットベッドタイプスキャナ）と、
プリンタ用の給紙カセットと、
用紙サイズ情報と給紙カセットとを対応付けて記憶する記憶手段と、
を備える画像形成装置であって、
給紙カセットに対して用紙サイズ情報を登録する登録モードに設定するモード設定手段と、
登録対象の給紙カセットを特定するカセット特定手段と、
前記登録モードにおいて、ＦＢＳで検知された用紙サイズ情報と、登録対象の給紙カセットとを、対応付けて前記記憶装置に記憶させる制御手段と、
を備える、
ことを特徴とする画像形成装置。
【請求項２】
複数の給紙カセットと、
各給紙カセットの開閉状態を検知するセンサを備え、
前記カセット特定手段は、前記センサからの検知信号に基づいて、登録対象の給紙カセットを特定する、
ことを特徴とする請求項１に記載の画像形成装置。
【請求項３】
プリンタ用の給紙カセットを備える画像形成装置であって、
給紙カセットの開閉状態を検知するセンサと、
該給紙カセットの開放状態の検知に基づいて、給紙カセットに対する用紙サイズの登録モードを設定するモード設定手段と、
を備える、
ことを特徴とする画像形成装置。
【請求項４】
プリンタ用の給紙カセットと、
給紙カセットの開閉状態を検知するセンサと、
用紙サイズ情報を検出する用紙サイズ検出手段と、
用紙サイズ情報と給紙カセットとを対応付けて記憶する記憶手段と、
を備える画像形成装置であって、
登録対象の用紙が用紙サイズ検出手段に対応するセット位置にセットされたか否かを検出する用紙セット検出手段と、
登録開始を指令する登録開始指令手段と、
給紙カセットの開放状態かつ用紙セットが検出された状態で登録開始が指令された場合に、用紙サイズの検出を指令すると共に、検出された用紙サイズ情報を給紙カセットと対応付けて前記記憶装置に記憶させる制御装置と、
を備える、
ことを特徴とする画像形成装置。
【発明の詳細な説明】
【技術分野】
【０００１】
本発明は、用紙サイズの検知手段と、プリンタ用の給紙カセットと、を備える画像形成装置の技術に関する。
【背景技術】
【０００２】
従来より、プリンタやコピー機等の画像形成装置では、印刷の際に必要な用紙を事前に保持し、印刷毎に用紙を自動供給可能とするため、一又は複数の給紙カセットが並設される構成となっている。
このような装置において、プリントの実行で給紙カセットを使用する際には、どの給紙カセットに、どのようなサイズの用紙が収容されているかを、事前に画像形成装置の制御システムに登録しておくことが必要である。そして、この登録内容に基づいて、プリントのサイズ指定に合致する用紙が各給紙カセットに収容されているか否かが検索されて、該当する給紙カセットより、用紙が画像形成装置本体へ供給される。
【０００３】
給紙カセットのサイズ登録は、画像形成装置に備えるコントロールパネル上で、給紙カセット毎に、収容する用紙のサイズ情報を対応するように入力することで行われる。例えば、複数の給紙カセットが上下に積層される構成の場合は、設定対象の給紙カセットとして最下段の給紙カセットを指定し、収容される用紙のサイズ情報として、Ａ４サイズ用紙横置きを設定する。ここで、用紙の縦横は、プリンタ内での搬送方向に沿う方向を縦とし、垂直な方向を横としている。
また、給紙カセットに収容される用紙としては、定型サイズの用紙に限定されるものではなく、封筒等の不定形サイズの用紙が収容されることも有る。このような場合も、コントロールパネル上で用紙サイズ情報として用紙の縦横長さを入力することで、給紙カセットのサイズ登録を行うことができる。
【０００４】
以上のようなコントロールパネル上の設定では、手間が掛かってしまうことや、入力ミスの発生が避けられない不具合を改善する技術として、特許文献１に開示される技術がある。
この技術では、スキャナに付設するＡＤＦ（自動原稿給送装置）や、プリンタ内の用紙搬送機構に備えられる用紙長さ検出センサを利用して、用紙の縦横の一方（用紙搬送方向）の長さを検出する。また、用紙の縦横の他方の長さは、スキャナで主走査方向の原稿長さを検出する（ＡＤＦを用いる場合）か、用紙手差しトレイ上の用紙ガイド位置の検出（プリンタを用いる場合）することにより、長さ検出が可能である。そして、対象とする用紙より検出された縦横の長さが、その用紙の用紙サイズ情報として、その用紙を収容する給紙カセットに対応付けられて、制御システムに登録される。
【０００５】
【特許文献１】特開平１１−１５７７００号公報
【発明の開示】
【発明が解決しようとする課題】
【０００６】
給紙カセットのサイズ登録操作を、コントロールパネル上での手入力作業で行う場合は、前述したように、手間が掛かると共に、入力ミスの発生が避けられないものである。
この不具合を改善することを意図する特許文献１の技術では、ＡＤＦやプリンタ内の搬送機構を利用するため、検出対象とする用紙にダメージを与えてしまうことが有る。
また、画像形成装置において、ＡＤＦがない装置（スキャナがない装置一般）や、用紙手差しトレイがない仕様では、当然ながら、このような搬送機構（ＡＤＦを含めて）を利用した用紙長さ検出を実行することが出来ない。
さらに、ＡＤＦの原稿トレイ上やプリンタの用紙手差しトレイ上に、サイズ登録対象の用紙をセットする際に、そのセット向きを、給紙カセット内における収容の向きに対して、異なる向きにしてしまいやすい。通常、用紙は、原稿トレイや用紙手差しトレイ上に、用紙の長手方向で（ＡＤＦやプリンタに）搬送されるように、セットされる。これに対して、収容される用紙は、給紙カセット内に縦横どちらが長手方向となるように収容されるか（Ａ４縦・Ａ４横のどちらの向きで収容されるか）、不明である。
【０００７】
また、特許文献１に開示される技術では、登録対象とする給紙カセットの特定は、コントロールパネル上での手入力作業により行われるものとしている。
したがって、用紙サイズの特定における手入力作業の不具合は改善されても、給紙カセットの特定における不具合は改善されていない。この場合の入力ミスの例としては、登録対象の給紙カセットと異なる給紙カセットを指定して、サイズ登録操作を行ってしまうなどの誤操作の発生などがあげられる。
【０００８】
解決しようとする問題点は、給紙カセットのサイズ登録操作を、コントロールパネル上での手入力作業で行う場合は、手間が掛かると共に、入力ミスの発生が避けられない点である。
【課題を解決するための手段】
【０００９】
本発明の解決しようとする課題は以上の如くであり、次にこの課題を解決するための手段を説明する。
【００１０】
即ち、請求項１においては、
用紙サイズ情報の検知機能を備えるＦＢＳ（フラットベッドタイプスキャナ）と、
プリンタ用の給紙カセットと、
用紙サイズ情報と給紙カセットとを対応付けて記憶する記憶手段と、
を備える画像形成装置であって、
給紙カセットに対して用紙サイズ情報を登録する登録モードに設定するモード設定手段と、
登録対象の給紙カセットを特定するカセット特定手段と、
前記登録モードにおいて、ＦＢＳで検知された用紙サイズ情報と、登録対象の給紙カセットとを、対応付けて前記記憶装置に記憶させる制御手段と、
を備えるものである。
【００１１】
請求項２においては、
複数の給紙カセットと、
各給紙カセットの開閉状態を検知するセンサを備え、
前記カセット特定手段は、前記センサからの検知信号に基づいて、登録対象の給紙カセットを特定するものである。
【００１２】
請求項３においては、
プリンタ用の給紙カセットを備える画像形成装置であって、
給紙カセットの開閉状態を検知するセンサと、
該給紙カセットの開放状態の検知に基づいて、給紙カセットに対する用紙サイズの登録モードを設定するモード設定手段と、
を備えるものである。
【００１３】
請求項４においては、
プリンタ用の給紙カセットと、
給紙カセットの開閉状態を検知するセンサと、
用紙サイズ情報を検出する用紙サイズ検出手段と、
用紙サイズ情報と給紙カセットとを対応付けて記憶する記憶手段と、
を備える画像形成装置であって、
登録対象の用紙が用紙サイズ検出手段に対応するセット位置にセットされたか否かを検出する用紙セット検出手段と、
登録開始を指令する登録開始指令手段と、
給紙カセットの開放状態かつ用紙セットが検出された状態で登録開始が指令された場合に、用紙サイズの検出を指令すると共に、検出された用紙サイズ情報を給紙カセットと対応付けて前記記憶装置に記憶させる制御装置と、
を備えるものである。
【発明の効果】
【００１４】
本発明の効果として、以下に示すような効果を奏する。
【００１５】
請求項１においては、用紙サイズ情報を制御装置に認識させる際に、コントロールパネル上での手入力作業を行う必要がなく、入力ミスが防止されると共に、登録における作業性が向上する。
また、用紙サイズ情報検出においてＦＢＳの機能を利用するため、ＳＦＳやプリンタの機能を利用する場合のように、用紙のサイズ情報検出時に用紙が搬送機構により搬送されることがないので、検出用の用紙にダメージを与えることがない。
また、給紙カセットの直上にプラテンガラスが位置するので、サイズ情報検出用の用紙をプラテンガラス上に配置する場合に、給紙カセット内での配置の向きと違う向きに配置してしまうような、セット向きのミスを起こしにくい。
【００１６】
請求項２においては、登録対象とする給紙カセットを制御装置に認識させる際に、コントロールパネル上での手入力作業を行う必要がなく、入力ミスが防止されると共に、登録における作業性が向上する。
【００１７】
請求項３においては、サイズ登録モードの設定において、コントロールパネル上での手入力作業を行う必要が無く、入力ミスが防止されると共に、登録における作業性が向上する。
【００１８】
請求項４においては、給紙カセットに対する用紙サイズの登録が、コントロールパネル上での手入力作業を行うことなく実行され、入力ミスが防止されると共に、登録作業における作業性が向上する。
【発明を実施するための最良の形態】
【００１９】
これより、本発明の画像形成装置の二つの実施の形態について、図面を用いて説明する。
第一の実施の形態である複合機１００と、第二の実施の形態である複合機２００とは、装置構成は同一であるが、後述するサイズ登録モードの実行手順が異なるものとなっており、サイズ登録モードの実行に関わるプログラムの内容が異なるものである。
以下、順に説明していく。
【００２０】
複合機１００は、コピー機能とファクシミリ機能とを有する装置であり、コピー機能は、画像読取手段（スキャナ）と画像形成手段（プリンタ）とにより実現されている。
以下において、原稿、記録紙、用紙という三種類の紙が登場する。「原稿」はスキャナによる検出対象としての用紙を意味し、「記録紙」はプリンタによる印字対象としての用紙を意味する。また、「用紙」は「原稿」および「記録紙」を含むものとし、「用紙」で「原稿」または「記録紙」を代用することが有る。
【００２１】
図１から図３を用いて、複合機１００を構成する各部のレイアウトを説明する。
複合機１００の下部には多段給紙装置５が配置され、多段給紙装置５より上方に向けて、プリンタ４、スキャナ２、プラテンカバー２４が配置される。ユーザの操作側を複合機１００の前側とすると、スキャナ２の前側にコントロールパネル１８が配置される。
【００２２】
プラテンカバー２４の左端部には自動原稿給送装置（以下ＡＤＦ）３が設けられている。プラテンカバー２４の上面で、ＡＤＦ３の右側に位置する部位は、ＡＤＦ３から排出された原稿を受ける原稿排紙トレイ２１に形成されている。また、ＡＤＦ３に供給する原稿を載置するための原稿給紙トレイ２２が、原稿排紙トレイ２１の上方位置に設けられている。
【００２３】
また、プリンタ４のケーシングの上面には、プリンタ４から排出される原稿を受ける用紙排紙トレイ１９が形成されている。該ケーシングの右側には、用紙手差しトレイ２０が、給紙位置（図３に図示の状態）と収納位置（図２に図示の状態）との間で揺動可能に設けられている。給紙位置にある用紙手差しトレイ２０上には、プリンタ４に供給する用紙が載置される。
【００２４】
多段給紙装置５には、給紙カセット３０Ａ（上段）・３０Ｂ（中段）・３０Ｃ（下段）が積層されている。以下では、給紙カセット３０Ａ・３０Ｂ・３０Ｃを区別する必要がない場合は、同一の符号３０を用いるものとする。
各給紙カセット３０は、カセットケース３０ｂと、該カセットケース３０ｂに引出し自在（摺動自在）に収容されるカセット本体３０ａと、から構成される。カセット本体３０ａの引出される方向は、複合機１００の前方向である。カセット本体３０ａは上面が開放された箱体であり、内部に用紙が収容される。
【００２５】
なお、本実施の形態では、複合機１００に給紙カセット３０を複数備え、後述のサイズ登録モードにおける登録対象が複数存在する構成であるが、この構成に限定されるものではない。登録対象としての給紙カセットが単一、つまり給紙カセット３０を一つのみ備える画像形成装置にも、本発明は適用可能である。
【００２６】
図２に示すように、プラテンカバー２４は、スキャナ２の上面を開閉可能とするように、スキャナ２に対して揺動自在に設けられている。
【００２７】
また、スキャナ２のケーシング上面には、中央部にプラテンガラス２３、左端部にコンタクトガラス２７が嵌め込まれている。ここで、スキャナ２の内部には、走査光学系の一構成要素であるミラーキャリッジ２６（図６、図７に図示）が、副走査方向（複合機１００の左右方向）で移動可能に設けられている。ミラーキャリッジ２６は、主走査方向（複合機１００の前後方向）を長手方向とするミラーや光源を備えている。
【００２８】
このため、プラテンガラス２３上に載置された原稿は、ミラーキャリッジ２６により主走査方向の一ライン毎の画像で読取られる。そして、ミラーキャリッジ２６を副走査方向に沿って移動させて読取ることで、原稿の全面がスキャナ２に読取られる。つまり、スキャナ２は、フラットベッドタイプスキャナ（以下、ＦＢＳ）として機能する。
【００２９】
また、ＡＤＦ３により給送される原稿は、ＡＤＦ３のケーシングの下面に形成される開口２８を介して、コンタクトガラス２７の下方位置に移動したミラーキャリッジ２６により、一ライン毎の画像で読取られる。そして、ＡＤＦ３により原稿が給送されるに従って、原稿の全面がスキャナ２に読取られる。つまり、スキャナ２はＡＤＦ３と合わせることで、シートフィードタイプスキャナ（以下、ＳＦＳ）として機能する。
【００３０】
次に、図４を用いて、複合機１００の回路構成を説明する。
複合機１００には、制御システムを構成する主体として、制御装置であるＭＰＵ１５が備えられると共に、制御装置を補助する装置として、ＲＯＭ（読出し専用メモリ）１６、ＲＡＭ（一時記憶メモリ）１７が備えられている。
また、複合機１００の各部（各装置）はバス１１を介して接続されている。以上構成により、複合機１００の制御システムが構成されている。
【００３１】
画像読取りに関わる装置として、スキャナ２およびＡＤＦ３が複合機１００に備えられ、これらの装置はバス１１を介してＭＰＵ１５に制御される。
また、画像形成に関わる装置として、プリンタ４および多段給紙装置５が複合機１００に備えられ、これらの装置はバス１１を介してＭＰＵ１５に制御される。
【００３２】
また、イメージデータの記憶手段として、画像メモリ１４が複合機１００に備えられて、バス１１に接続されている。
画像メモリ１４には、スキャナ２で読取られた画像データや、ファクシミリ通信（またはインターネットＦＡＸ通信）により受信した画像データが、蓄積される。
また、画像メモリ１４に記憶されている画像データが、プリンタ４により用紙上へ印刷出力される。
【００３３】
ファクシミリ送信に関わる手段として、電話回線との回線接続制御部であるＮＣＵ６、送受信手段であるモデム７、が複合機１００に備えられて、バス１１に接続されている。複合機１００と、ＮＣＵ６で接続を許可された送受信先との間で、ファクシミリ送信が可能である。
また、インターネットＦＡＸに関わる手段として、ＬＡＮインターフェイス８が備えられている。複合機１００は、ＬＡＮインターフェイス８を経由する通信線を介して、複合機１００外部のネットワーク機器であるサーバー９やクライアントＰＣ１０等に接続され、これらの機器との間でデータの送受信が可能である。
【００３４】
操作入力手段として、キー操作部１２が複合機１００に備えられて、バス１１に接続されている。ユーザは、キー操作部１２上に設けられている各種キーを操作して、複合機１００の操作が可能である。
表示出力手段として、表示ディスプレイ１３が複合機１００に備えられて、バス１１に接続されている。ユーザは、複合機１００の処理内容に応じて、表示ディスプレイ１３上に出力される画像表示を確認可能である。
キー操作部および表示ディスプレイ１３は、前述したように、コントロールパネル１８上に設けられている。
【００３５】
また、バス１１には、コーデック（符号復号化器）２５が接続されており、該コーデック２５により、形式の異なるデータの変換処理やデータ圧縮／解凍処理が行われる。
例えば、ファクシミリ送信により受信したデータの変換処理や、画像メモリ１４へ蓄積する画像データの圧縮処理、圧縮された画像データの解凍処理などが、コーデック２５で行われる。
【００３６】
次に、給紙カセット３０に対する用紙サイズ情報の登録に係る構成を説明する。
給紙カセット３０に対する用紙サイズ情報の登録とは、給紙カセット３０Ａ・３０Ｂ・３０Ｃのどれに、どのようなサイズの用紙が収容されているかを、複合機１００の制御システムに登録することを意味する。
この登録処理は、複合機１００の制御モードを、サイズ登録モードに設定した状態で実行される。
この登録処理に際しては、登録対象として二つの要素を特定する必要がある。一つは給紙カセットの特定であり、もう一つは用紙サイズ情報の特定である。
そして、この二つの要素が特定されると、登録処理が実行される。つまり、特定された内容が、制御システムに登録される。
以下では、サイズ登録モードの設定、給紙カセットの特定、用紙サイズ情報の特定、登録処理のそれぞれについて、順に説明していく。
【００３７】
ここで、用紙サイズ情報とは、縦横長さで特定される定型サイズと、給紙カセット３０内での配置の向きと、に関する情報を意味する。用紙の配置の向きには、用紙の長手方向が前後方向となる向きと、用紙の長手方向が左右方向となる向きと、がある。
また、本発明は、不定形サイズの用紙に対しても適用可能であるが、本実施の形態では、複合機１００に備える各種の原稿長さ検出手段の構成により、不定形サイズの用紙の特定が場合によっては困難である。
以下において、原稿長さ検出手段の説明の折に、個別に、不定形サイズの用紙の用紙長さの検出を可能とする構成についても、示唆するものとする。
【００３８】
モード設定手段について説明する。
複合機１００には、各種の実行処理に応じて各種のモードが用意されると共に、これらのモードを設定するためのモード設定手段も備えられている。このモード設定手段は、ＭＰＵ１５と、ＲＯＭ１６内に記憶される第一モード設定プログラム５０と、からなる。
第一モード設定プログラム５０は、サイズ登録処理に関わるプログラムの集合体であり、サイズ登録モードの処理手順に関するプログラムだけでなく、所定の条件が満たされた場合にサイズ登録モードを実行させるプログラムも含んでいる。
そして、モード設定手段は、次の二つの入力操作のどちらが実行された場合に、複合機１００の制御をサイズ登録モードに設定する。
【００３９】
第一の入力操作は、給紙カセット３０の開放操作である。
給紙カセット３０には、給紙カセット３０の開閉状態を検出する開閉検出センサ３１（図５に図示）が設けられている。ユーザにより、給紙カセット３０が開放された状態では、開閉検出センサ３１より「開」状態の検出信号が出力される。また、ユーザにより、給紙カセット３０が閉鎖された状態では、開閉検出センサ３１より「閉」状態の検出信号が出力される。
ここで、カセット本体３０ａがカセットケース３０ｂより引出された状態を、給紙カセット３０の「開」状態とする。また、カセットケース３０ｂ内にカセット本体３０ａが収容された状態を、給紙カセット３０の「閉」状態とする。
そして、開閉検出センサ３１より「閉」状態の検出信号が出力されると、サイズ登録モードの設定が、第一モード設定プログラム５０に基づいて、ＭＰＵ１５に指令される。
【００４０】
図５に示すように、開閉検出センサ３１は、カセットケース３０ｂに対するカセット本体３０ａの接近・離間を検知して、検出信号を出力する接触式センサである。特に、本実施の形態では、開閉検出センサ３１は、発光素子３１ａと受光素子３１ｂとからなる遮断型光センサ（接触式センサの一つ）として構成されている。そして、発光素子３１ａと受光素子３１ｂとが、カセット本体３０ａと受光素子３１ｂとの異なる側にそれぞれ設けられ、カセットケース３０ｂ内にカセット本体３０ａが収容された状態では、発光素子３１ａから受光素子３１ｂに向けて光路が形成される。
そして、この状態では、開閉検出センサ３１により給紙カセット３０の「閉」状態が検出される。
また、カセットケース３０ｂよりカセット本体３０ａが引出されて、発光素子３１ａからの出力光が受光素子３１ｂに到達しなくなると、開閉検出センサ３１により給紙カセット３０の「開」状態が検出される。
【００４１】
第二の入力操作は、コントロールパネル１８上での入力操作である。ユーザは、コントロールパネル１８上の表示ディスプレイ１３に表示されるモード選択画面等を参照しながら、キー操作部１２を操作して、サイズ登録モードの設定をＭＰＵ１５に指令可能である。ＭＰＵ１５において、キー操作部１２の操作に基づく、サイズ登録モードの設定は、第一モード設定プログラム５０に基づいて実行される。
【００４２】
第一もしくは第二の入力操作により、制御システムがサイズ登録モードに設定されると、表示ディスプレイ１３上には、多段給紙装置５に備える複数の給紙カセット３０の中から、登録対象とする給紙カセット３０をユーザに選択させるための表示が出力される。例えば、「どのカセットのサイズ登録を行いますか」等の文言と、給紙カセット毎の対応番号（テンキーに対応）が表示される。
この給紙カセット３０の指定要求に対して、ユーザは、次に説明する二通りの入力操作を行うことにより、登録対象とする給紙カセット３０を制御システムに認識させる。一つは給紙カセット３０の開閉操作（開放のみではない）であり、もう一つはコントロールパネル１８上での入力操作である。
【００４３】
給紙カセット３０の特定手段について説明する。
この特定手段は、登録対象とする給紙カセット３０を特定して制御システムに認識させる手段であり、第一特定手段および第二特定手段の二つが設けられている。
第一特定手段は、制御システムからの給紙カセット３０の指定要求に対して、給紙カセット３０の開閉操作が行われた場合に、登録対象とする給紙カセット３０を特定する。
第二特定手段は、制御システムからの給紙カセット３０の指定要求に対して、コントロールパネル１８上での入力操作が行われた場合に、登録対象とする給紙カセット３０を特定する。
【００４４】
第一特定手段は、各給紙カセット３０の開閉状態に基づいて、登録対象とする給紙カセット３０を特定して制御システムに認識させる手段である。この第一特定手段は、ＭＰＵ１５と、ＲＯＭ１６内に記憶される第一特定プログラム５１と、からなる。
給紙カセット３０の特定は、各給紙カセット３０の開閉状態が次のような場合に行われる。まず、開放状態の給紙カセット３０が一つだけ存在する場合、その給紙カセット３０が登録対象として認識される。
なお、各給紙カセット３０の開閉状態は、各給紙カセット３０毎に設けられている開閉検出センサ３１により検出される。
ここで、開放状態にある給紙カセット３０が複数存在する場合には、第一特定手段は、登録対象の給紙カセット３０の特定を行わない。他の給紙カセット３０が閉鎖状態とされて、ただ一つの給紙カセット３０が開放された状態となると、第一特定手段は、登録対象の給紙カセット３０の特定を行う。
【００４５】
なお、給紙カセット３０を引出す場合としては、単に用紙の補給を行う場合や、ジャム処理等の場合もある。
ここで、サイズ登録モードにおける登録処理は、キー操作部１２上のスタートキーがユーザにより押下された場合にのみ実行される。したがって、登録処理を目的としない場合に、給紙カセット３０が引出されても、予期せぬサイズ登録モードの実行は発生しない。
【００４６】
また、各給紙カセット３０の開閉状態に基づいて、登録対象とする給紙カセット３０を特定する条件としては、前述した開放状態の給紙カセット３０を特定する条件に限定されるものではない。
例えば、サイズ登録モードの設定時点（後述のステップ１０３）において、最近（最も近い時点で）閉鎖された給紙カセット３０を、登録対象として制御システムが認識するものとしても良い。最近閉鎖された給紙カセット３０の特定は、給紙カセット３０の閉鎖が行われるたびに、その給紙カセット３０を特定する情報をＲＡＭ１７に記憶させておくことで、可能である。
【００４７】
第二特定手段は、コントロールパネル１８上での入力操作に基づいて、登録対象とする給紙カセット３０を特定して制御システムに認識させる手段である。この第二特定手段は、ＭＰＵ１５と、ＲＯＭ１６内に記憶される第二特定プログラム５２と、からなる。
【００４８】
表示ディスプレイ１３上に表示される給紙カセット３０の指定要求に対して、ユーザは、キー操作部１２の操作により、登録対象とする給紙カセット３０を指定する。例えば、表示ディスプレイ１３上に、各給紙カセット３０が対応番号と共に表示されている場合であれば、「１」等のテンキーを押すことで、「１」に対応する給紙カセット３０が指定される。
【００４９】
そして、キー操作部１２の操作により、給紙カセット３０が指定されると、第二特定手段は、その給紙カセット３０を登録対象として制御システムに認識させる。
【００５０】
次に、用紙サイズ情報の特定に関わる検出手段について説明する。
前述したように、給紙カセット３０に収容する用紙のサイズ情報には、定型サイズと、給紙カセット３０内での配置の向きと、に関する情報が含まれている。
ここで、定型サイズの大きさは、登録対象とする用紙の縦横長さの検出により特定される。また、用紙の配置の向きも、登録対象とする用紙の縦横長さの検出により特定される。これは、登録対象とする用紙の検出時における姿勢（配置の向き）が、給紙カセット３０内に収容された際の用紙の配置の向きとして、制御システムに認識されるためである。
以下で、より具体的に説明する。
【００５１】
複合機１００には、用紙サイズ情報の特定に関わる検出手段が、三組設けられている。
ここで、一組の検出手段は一又は複数の検出手段からなり、これらの検出手段による検出結果に基づいて、用紙の縦長さと、用紙の横長さと、の検出が可能である。つまり、必ずしも、用紙の縦長さ検出手段と用紙の横長さの検出手段との二つから、一組の検出手段が構成されるわけではない。
そして、この検出手段の一組が、プリンタ４の機能を利用して構成されるもの（プリンタ式）、ＳＦＳ（スキャナ２およびＡＤＦ３）の機能を利用して構成されるもの（ＳＦＳ式）、ＦＢＳ（スキャナ２）の機能を利用して構成されるもの（ＦＢＳ式）、の三つがある。
【００５２】
ＦＢＳ式（フラットベッドタイプスキャナ式）の一組の検出手段について説明する。
ＦＢＳ式の一組の検出手段は、用紙（原稿）の一ラインを検出するミラーキャリッジ２６（図６、図７に図示）と、プラテンガラス２３上の所定位置の原稿の有無を検出する副走査方向幅検出センサ４５（図６に図示）と、からなる。
以下で、詳しく説明する。
【００５３】
図６に示すように、スキャナ２に備えるプラテンガラス２３上が、登録対象の用紙が載置される場所である。
そして、ＦＢＳ式の一組の検出手段によるサイズ情報検出は、登録対象の用紙がプラテンガラス２３上に載置されて、プラテンカバー２４が閉鎖された場合にのみ、実行される。
まず、プラテンガラス２３上への用紙の載置に先立って、ユーザにより、プラテンカバー２４が開放される。次いで、通例のスキャン時と同様に、用紙のサイズ情報検出に先立って、プラテンカバー２４の閉鎖が行われるものとする。
つまり、本実施の形態では、プラテンカバー２４の閉鎖の有無を検出するカバー閉鎖検出センサ４２（図４に図示）が設けられており、ＦＢＳ式によるサイズ情報検出の実行のトリガーを、プラテンカバー２４の閉鎖動作としている。
カバー閉鎖検出センサ４２は、スキャナ２のケーシングに対するプラテンカバー２４の接近を検知して、検出信号を出力する接触式センサである。より詳しくは、カバー閉鎖検出センサ４２には、スキャナ２より上方へ突出した状態の検出体を備えている。そして、該検出体がプラテンカバー２４の閉鎖動作に伴って接触して、下方に押し下げられると、プラテンカバー２４の閉鎖動作がカバー閉鎖検出センサ４２により検出される。
【００５４】
登録対象の用紙は、プラテンガラス２３上に、給紙カセット３０内での配置の向きで、載置される。なお、本実施の形態では、プラテンガラス２３上の左上の一頂点に、登録対象の用紙の一頂点を合わせるようにして、サイズ情報検出に際しての位置決めが行われるものとしている。
そして、ＦＢＳ式の一組の検出手段により、後述のようにして、用紙の縦長さが検出される。なお、用紙の横長さ自体は、直接には検出されない。ここで、プラテンガラス２３の上面（用紙の載置面）は、水平面と一致している。つまり、用紙の縦長さとは、プラテンガラス２３上に載置された用紙の前後方向の長さであり、用紙の横長さとは、プラテンガラス２３上に載置された用紙の左右方向の長さを意味する。
つまり、同じＡ４定型サイズの用紙であっても、長手方向を左右方向として用紙手差しトレイ２０上に載置するか、長手方向を前後方向として載置するかによって、検出される縦横長さが異なるものとなる。
したがって、以下において、用紙の縦横は、用紙手差しトレイ２０上に載置された状態での縦横を基準とする。
【００５５】
一般のスキャナにおいて、スキャンの開始時には、原稿読取りに先立って、原稿のサイズ情報検出が行われる。このサイズ情報検出により、検出対象の原稿のサイズ情報（縦横長さおよび配置の向き）が特定される。
そして、このサイズ情報検出に関わる検出手段を、ＦＢＳ式の一組の検出手段としており、具体的には、ミラーキャリッジ２６および副走査方向幅検出センサ４５からなる。
このサイズ情報検出の実行開始は、プラテンカバー２４の閉鎖をトリガーとするものである。また、このサイズ情報検出の開始に先立って、ミラーキャリッジ２６が原稿の先端側（プラテンガラス２３の左端側）に待機している。このミラーキャリッジ２６の待機位置を、ＦＢＳ検出位置Ｐｆとする。
【００５６】
ミラーキャリッジ２６を利用した用紙の縦長さ検出について説明する。
前述したプラテンカバー２４の閉鎖動作に伴って、ミラーキャリッジ２６に備える光源２９が発光して、原稿画像の主走査方向の一ラインが読取られる。より詳しくは、光源２９からの照射を受けた原稿表面からの反射光が、ミラーキャリッジ２６に備えるミラー４３等を介して、スキャナ２内に備えるＣＣＤ（光電変換素子）４４で電子化されて、原稿画像の一ラインのデータとしてＲＡＭ１７もしくは画像メモリ１４に取り込まれることを意味する。
この一ラインの読取りにより、原稿の縦長さ（主走査方向長さ）が特定される。より詳しくは、原稿画像の一ラインのデータより、白ライン検出（原稿がなく反射光のない部分）を行って、縦方向での原稿部分の特定が行われる。
【００５７】
ミラーキャリッジ２６の利用による縦長さ検出の場合は、用紙の縦長さ自体が検出されるので、不定形サイズの用紙の縦長さの検出も可能である。
【００５８】
定型サイズ原稿の場合、一辺の長さが特定されれば、原稿サイズが二種類に特定される。例えば、２５７ｍｍという長さは、Ｂ４サイズの短手方向長さであると共に、Ｂ５サイズの長手方向長さに相当する。
ここで、用紙サイズが二種類に特定されたならば、その用紙が縦置きであるか横置きであるかが検出されれば、その用紙が二種類のどちらであるかも、特定される。
【００５９】
前記副走査方向幅検出センサ４５は、用紙の縦置きおよび横置きを判別するための手段として、スキャナ２に設けられている。
この副走査方向幅検出センサ４５は、プラテンガラス２３の所定位置の下方に設けられている。この所定位置は、例えば、Ｂ５原稿およびＡ４原稿が、縦置きであるか横置きであるかを特定可能な位置としている。
図６には、このような所定位置の一例として、水平方向で、長手を横方向としたＢ５用紙の右下の頂点付近に、副走査方向幅検出センサ４５が配置された状態を示している。
なお、本実施の形態では、副走査方向幅検出センサ４５を、一つのみ設ける構成であるが、登録対象とする定型サイズの種類の数に応じて、このような縦置きと横置きとを判別するための検出センサを、複数設ける構成としても良い。
【００６０】
そして、プラテンカバー２４の閉鎖動作に伴って、前記光源２９の発光とは別に、副走査方向幅検出センサ４５が発光して、副走査方向幅検出センサ４５上の原稿の有無が検出される。
副走査方向幅検出センサ４５は、発光素子と受光素子とを備える反射型光センサであり、直上位置に原稿が存在する場合は、発光に対する反射光の入射を受けて、原稿の検出信号を出力する。一方、直上位置に原稿が存在しない場合は、発光しても反射光の入射がないので、原稿の検出信号を出力しない（または不検出信号を出力する）。
【００６１】
以上のように、ＦＢＳ式の一組の検出手段、つまりミラーキャリッジ２６および副走査方向幅検出センサ４５を用いて、登録対象の用紙の縦長さと、プラテンガラス２３上の所定位置の原稿の有無とを検出することで、用紙サイズ情報（縦横長さおよび配置の向き）が特定される。
【００６２】
以上では、用紙サイズ情報の特定において、用紙の横長さ自体の検出は行わないものとしている。したがって、前記のプリンタ式の一組の検出手段を用いてサイズ情報検出を行うことで、定型サイズの特定は可能であるが、不定形サイズの特定は不能である。
このようなサイズ情報検出の方法に変えて、用紙の横長さ自体の検出を可能な方法で、用紙サイズ情報の特定が行われるものとしても良い。例えば、通常のスキャン動作と同様に、プラテンガラス２３上に用紙が載置された状態で、ミラーキャリッジ２６を、ＦＢＳ検出位置Ｐｆから副走査方向（右方向）へ移動させながら、用紙の画像読取りを行わせるものである。この場合、用紙の副走査方向長さ、つまり用紙の横長さ自体が検出される。したがって、このような方法を適用する場合は、用紙の縦横の長さ自体が検出されるので、不定形サイズの用紙の特定も可能である。
なお、副走査方向でのスキャン時間を短縮するために、このサイズ情報検出に関わるスキャン動作では、通常のスキャン動作の場合よりも、検出精度を低下（読取りライン数を減少）させてもよい。
【００６３】
プリンタ式の一組の検出手段について説明する。
プリンタ式の一組の検出手段は、用紙幅検出手段４６（用紙の縦長さ検出手段）と、原稿検出センサ３９（用紙の横長さ検出手段）と、からなる。
以下で、詳しく説明する。
【００６４】
図５に示すように、プリンタ４内には、電子写真プロセスを実行するための各種装置が設けられ、これらの各装置を経由して用紙を搬送するための用紙搬送路３２が形成されると共に、用紙の搬送機構が備えられている。各種装置としては、感光体３３、転写器３４、定着器３５等がある。
用紙搬送路３２への用紙の供給は、給紙カセット３０と用紙手差しトレイ２０とのどちらからでも可能である。
【００６５】
プリンタ式の一組の検出手段によるサイズ情報検出は、登録対象の用紙が用紙手差しトレイ２０上に載置された場合にのみ、実行される。
用紙手差しトレイ２０には、該トレイ２０上の用紙の有無を検出するための用紙有無検出センサ３６が設けられている。
用紙有無検出センサ３６は、例えば、揺動体３６ａと透過式の光センサ３６ｂとを備えて構成される。そして、用紙手差しトレイ２０上の用紙の有無に応じて、揺動体３６ａの姿勢（傾斜角度）が変化して、遮断型光センサ３６ｂ内の光路が遮断もしくは形成され、用紙有無検出センサ３６による用紙の有無検出が可能である。
そして、用紙手差しトレイ２０上の用紙の存在が制御システムに認識されている状態で、キー操作部１２に備えるスタートキーがユーザにより押されると、プリンタ式によるサイズ情報検出が実行される。
【００６６】
登録対象の用紙は、用紙手差しトレイ２０上に、給紙カセット３０内での配置の向きで、載置される。
プリンタ式の一組の検出手段により、後述のようにして、用紙の縦長さおよび横長さが検出される。ここで、用紙は、用紙手差しトレイ２０上に、若干傾斜した状態ではあるが、略水平に載置されるものである。つまり、用紙の縦長さとは、用紙手差しトレイ２０上に載置された状態での用紙の前後方向の長さであり、用紙の横長さとは、用紙手差しトレイ２０上に載置された状態での用紙の左右方向の長さを意味する。つまり、同じＡ４定型サイズの用紙であっても、長手方向を左右方向として用紙手差しトレイ２０上に載置するか、長手方向を前後方向として載置するかによって、検出される縦横長さが異なるものとなる。
したがって、以下において、用紙の縦横は、用紙手差しトレイ２０上に載置された状態での縦横を基準とする。
【００６７】
用紙幅検出手段４６を利用した用紙の縦長さ検出について説明する。
用紙手差しトレイ２０上には、前後方向で用紙の搬送位置を整えるための用紙ガイド３７・３８が設けられている。用紙ガイド３７・３８は、用紙搬送路３２に沿って搬送される用紙の前後方向（搬送方向に対する左右方向）の位置決めを行う手段である。より詳しくは、用紙手差しトレイ２０上に用紙を、前後方向で挟み込むように用紙ガイド３７・３８を移動させて、用紙ガイド３７・３８内に用紙を規制する。用紙ガイド３７・３８は、前後方向に移動自在に設けられている。
なお、用紙手差しトレイ２０上で、用紙の位置を搬送方向に対する中央に整える場合は、一対の用紙ガイド３７・３８が必要であるが、搬送方向に対する左側（複合機１００の前側）、もしくは右側（複合機１００の後側）に揃える構成の場合は、一対の用紙ガイドのうち、一方は固定式で他方のみが移動自在の構成となる。
【００６８】
用紙幅検出手段４６は、用紙ガイド３７・３８の離間間隔を検出する手段である。ここで、用紙ガイド３７・３８の離間間隔は、用紙の縦長さに相当するものであり、この離間間隔の検出により、用紙の縦長さが検出される。
用紙ガイド３７・３８の離間間隔の検出は、例えば、次のようにして行われる。用紙ガイド３７・３８には、それぞれ、前後方向のラックギヤが固設される。一方、プリンタ４には、前記ラックギヤと噛合するピニオンギヤが設けられると共に、該ピニオンギヤには、エンコーダ等の回転数検出センサが設けられる。そして、用紙ガイド３７・３８のそれぞれに対応する回転数検出センサによる検出回転数より、用紙ガイド３７・３８の前後移動量が検出され、用紙ガイド３７・３８間の離間距離（用紙の縦長さ）が検出される。
以上のようにして、用紙幅検出手段４６が構成される。
【００６９】
用紙幅検出手段４６による縦長さ検出の場合は、不定形サイズの用紙の縦長さの検出も可能である。
なお、縦長さ検出手段としては、前記用紙有無検出センサ３６と同様の用紙有無検出センサを、用紙手差しトレイ２０上に前後方向（用紙の縦方向）に沿って並設し、これらのセンサからの検出信号の有無に基づいて用紙長さを検出する構成であっても良い。この場合は、用紙有無検出センサの配設箇所でのみ、用紙の有無が検出される構成であるため、用紙の縦長さ自体を特定することはできないが、用紙の縦長さが、センサの配設間隔で区分されたどの長さ領域に属するかは、特定される。例えば、Ａ４縦であるか、Ｂ５縦であるか、等の違いを検出することは可能である。つまり、この構成の場合は、不定形サイズの用紙長さの検出には不適であるが、定型サイズの用紙長さの検出は可能である。
【００７０】
原稿検出センサ３９を利用した用紙の横長さ検出について説明する。
用紙搬送路３２を搬送される用紙の搬送方向長さは、用紙搬送路３２に付設される原稿検出センサ３９を利用して可能である。
ここで、用紙は、該用紙の横方向でのみ搬送されるため、用紙の搬送方向長さが、用紙の横長さに相当する。したがって、原稿検出センサ３９を利用することで、用紙の横長さが後述するようにして検出される。
この原稿検出センサ３９には、検出対象物との接触もしくは検出対象物の接近に基づいて、検出信号を出力する接触式センサが適用されている。特に、本実施の形態では、原稿検出センサ３９は、用紙搬送路３２を挟んで、発光素子３９ａと受光素子３９ｂとが対向配置された遮断型光センサ（接触式センサの一つ）として構成されている。
遮断型光センサとした原稿検出センサ３９では、発光素子３９ａと受光素子３９ｂとの間に光路が形成されている。そして、この光路が、用紙搬送路３２上を通過する用紙により遮断されると原稿の通過が検出されるものとしている。
原稿検出センサ３９から出力される信号は、例えば、検出をＯＮ、非検出をＯＦＦとする二値化されたＯＮ／ＯＦＦ信号である。原稿検出センサ３９での原稿の検出中、つまり、前記光路の遮断中は、常にＯＮ信号が出力されるものである。
したがって、このＯＮ信号の出力時間を計測し、この出力時間と用紙の搬送速度との積を算出すれば、搬送方向での原稿長さが検出される。なお、ここで、用紙の搬送速度は、一定としている。
【００７１】
また、原稿検出センサ３９を利用した用紙の横長さ検出では、用紙の横長さ自体が特定されるため、定型サイズの用紙長さだけでなく、不定形サイズの用紙長さの検出も可能である。
【００７２】
以上のように、プリンタ式の一組の検出手段、つまり用紙幅検出手段４６と原稿検出センサ３９とを用いて、用紙手差しトレイ２０上に載置した用紙の縦長さおよび横長さを検出することで、その用紙のサイズ情報（縦横長さおよび配置の向き）が特定される。
【００７３】
ＳＦＳ式（シートフィードタイプスキャナ式）の一組の検出手段について説明する。
ＳＦＳ式の一組の検出手段は、ミラーキャリッジ２６（用紙の縦長さ検出手段）と、原稿検出センサ４１（用紙の横長さ検出手段）と、からなる。
以下で、詳しく説明する。
【００７４】
図７に示すように、ＡＤＦ３内には、略Ｕ字状の原稿搬送路４０が形成されると共に、原稿の搬送機構が備えられている。
原稿搬送路４０には、原稿給紙トレイ２２より原稿が供給される。
【００７５】
ＳＦＳ式の一組の検出手段によるサイズ情報検出は、登録対象の用紙が原稿給紙トレイ２２上に載置された場合にのみ、実行される。
原稿給紙トレイ２２には、該原稿給紙トレイ２２上の用紙の有無を検出するための原稿有無検出センサ４１が設けられている。原稿有無検出センサ４１の構成は、前記用紙有無検出センサ３６と同様である。
そして、原稿給紙トレイ２２上の用紙の存在が制御システムに認識されている状態で、キー操作部１２に備えるスタートキーがユーザにより押されると、ＳＦＳ式によるサイズ情報検出が実行される。
【００７６】
登録対象の用紙は、原稿給紙トレイ２２上に、給紙カセット３０内での配置の向きで、載置される。
ＳＦＳ式の一組の検出手段により、後述のようにして、用紙の縦長さおよび横長さが検出されるが、この縦横長さは、原稿給紙トレイ２２上に載置された状態での用紙の縦横長さである。用紙は、原稿給紙トレイ２２上に若干傾斜した状態で載置されるが、これも前記用紙手差しトレイ２０上に用紙を載置する場合と同様である。
したがって、以下においても、用紙の縦横は、原稿給紙トレイ２２上に載置された状態の縦横を基準とする。
【００７７】
ミラーキャリッジ２６を利用した用紙の縦長さ検出について説明する。
ミラーキャリッジ２６を利用した縦長さ検出は、原稿がＡＤＦ３内の原稿搬送路４０に沿って原稿が搬送される途中において、行われる。原稿給送トレイ２２上に載置された原稿は、キー操作部１２上のスタートキー（後述の登録開始指令手段）の押下により、原稿搬送路４０に沿って搬送されるが、この搬送途中に、ミラーキャリッジ２６に備える光源２９が発光して、原稿画像の主走査方向の一ラインが読取られる。ミラーキャリッジ２６は、ＳＦＳとして利用される場合は、ＳＦＳ検出位置Ｐｓに位置している。そして、この一ラインの読取りにより、用紙の縦長さ（主走査方向長さ）が特定される。
なお、このサイズ検出に際しては、通常の読取り動作と異なり、副走査方向の適宜箇所の一ラインのみが読取られればよく、原稿の全面を読取る必要はない。
【００７８】
ミラーキャリッジ２６の利用による縦長さ検出の場合は、ＳＦＳ式の場合においても、前述したＦＢＳ式の場合と同様に、用紙の縦長さ自体が検出されるので、不定形サイズの用紙の縦長さの検出も可能である。
なお、ＡＤＦを利用した用紙の縦長さ検出においては、ミラーキャリッジ２６の利用に代えて、前記用紙幅検出手段４６による用紙手差しトレイ２０上の原稿幅の検出と同様の構成により、縦長さが検出されるものとしても良い。すなわち、原稿給送トレイ２２上に用紙ガイド等の用紙幅検出に関わるセンサを設け、これらのセンサからの検出情報を元に、用紙幅を検出する構成としてもよい。
【００７９】
原稿検出センサ４１を利用した用紙の横長さ検出について説明する。
原稿搬送路４０を搬送される用紙の搬送方向長さは、原稿搬送路４０に付設される原稿検出センサ４１を利用して可能である。ここで、用紙は、該用紙の横方向でのみ搬送されるため、用紙の搬送方向長さが、用紙の横長さに相当する。
また、原稿検出センサ４１の構成は、前記原稿検出センサ３９の構成と同様である。したがって、このＯＮ信号の出力時間を計測し、この出力時間と用紙の搬送速度との積を算出すれば、搬送方向での原稿長さが検出される。
【００８０】
また、原稿検出センサ４１を利用した用紙の横長さ検出では、用紙の横長さ自体が特定されるため、定型サイズの用紙長さだけでなく、不定形サイズの用紙長さの検出も可能である。
【００８１】
以上のように、ＳＦＳ式の一組の検出手段、つまりミラーキャリッジ２６と原稿検出センサ４１とを用いて、原稿給紙トレイ２２上に載置した用紙の縦長さおよび横長さを検出することで、その用紙のサイズ情報（縦横長さおよび配置の向き）が特定される。
【００８２】
次に、特定された給紙カセット３０と、特定されたサイズ情報とを、対応するように制御システムに登録する登録手段について説明する。
この登録手段は、ＭＰＵ１５と、ＲＯＭ１６に記憶される登録処理プログラム５３と、で構成される。
ここで、給紙カセット３０の特定は、第一特定手段か、第二特定手段により行われる。
また、用紙のサイズ情報の特定は、この特定に関わる三組の検出手段群のうち、いずれかの組の検出手段群からの検出情報に基づいて行われる。この検出手段群として、ＦＢＳ式、ＳＦＳ式、プリンタ式の三組がある。
【００８３】
給紙カセット３０および用紙サイズ情報が特定されると、ＭＰＵ１５は、登録処理プログラム５３に基づいて、登録処理を実行する。
この登録処理において、ＭＰＵ１５は、特定された給紙カセット３０と、特定された用紙サイズ情報とを、対応付けた登録情報を作成し、その登録情報を記憶装置に記憶させる。
この記憶装置を、本実施の形態では、前記ＲＡＭ１７としているが、ＲＡＭ１７の記憶内容は複合機１００の電源を落した場合にも、失われないものとする。つまり、前記登録情報は、新たにサイズ登録処理が実行されて更新されない限り、保持されるものである。
なお、前記ＲＡＭ１７は、一時記憶メモリとし、複合機１００に別設される長期記憶メモリに、前記登録情報が記憶されるものとしても良い。
【００８４】
次に、図８を用いて、第一モード設定プログラム５０によるサイズ登録モードの処理について説明する。
制御システムの制御モードがサイズ登録モードに設定されるのは、電源投入後、複合機１００の待機状態において、ステップ１０１の判定で肯定、もしくはステップ１０２の判定で肯定の場合である。
【００８５】
ステップ１０１では、開放状態の給紙カセット３０があるか否かが、ＭＰＵ１５で判定される。この判定は、給紙カセット３０の開閉状態を検出する開閉検出センサ３１からの検出信号に基づいて行われる。
そして、ステップ１０１の判定が肯定（開放状態の給紙カセット３０が存在）の場合は、サイズ登録モードの実行が開始され（ステップ１０３）、否定の場合（すべての給紙カセット３０が閉鎖状態）は、ＭＰＵ１５の処理がステップ１０２に移行する。
【００８６】
ステップ１０２では、サイズ登録モードの設定が、キー操作で指令されたか否かが、ＭＰＵ１５で判定される。この判定は、キー操作部１２にバス１１を介して接続されるＭＰＵ１５が、キー操作部１２からの入力信号を識別することにより行われる。
そして、ステップ１０２の判定が肯定（モード設定指令のキー入力操作あり）の場合は、サイズ登録モードの実行が開始され（ステップ１０３）、否定の場合（モード設定指令のキー入力操作なし）は、ステップ１０１の判定が繰り返される。
【００８７】
ステップ１０３で、制御システムの制御モードがサイズ登録モードに設定されると、ＭＰＵ１５は、登録対象とする給紙カセット３０を指定するように、ユーザに要求する（ステップ１０４）。
具体的には、例えば、ＭＰＵ１５が表示ディスプレイ１３を制御して、「どのカセットのサイズ登録を行いますか」等の文言を表示出力させたり、音声出力手段を制御して音声ガイダンスを出力させる。
【００８８】
ステップ１０５・１０６では、ステップ１０４でのカセット指定要求に対する回答の入力の有無を判定する処理が実行され、有効な回答が得られた場合は、指定された給紙カセット３０が登録対象として制御システムに認識される（ステップ１０７）。
【００８９】
まず、ステップ１０５では、開放状態の給紙カセット３０が一つだけ存在するか否かが判定される。存在する場合は、その給紙カセット３０が登録対象として制御システムに認識され（ステップ１０７）、存在しない場合は、ＭＰＵ１５の処理がステップ１０６に移行する。
【００９０】
特に、開放状態の給紙カセット３０が一つだけ存在している場合は、ステップ１０１の判定でサイズ登録モードの設定（ステップ１０３）が決定されると共に、ステップ１０５の判定で登録対象の給紙カセット３０の特定が行われることになる。
つまり、ユーザは、給紙カセット３０を開放するだけで、制御システムに、サイズ登録モードの設定を指令すると共に、登録対象の給紙カセット３０を認識させることができる。
【００９１】
ステップ１０６では、キー操作で給紙カセット３０の指定が行われた否かが判定される。給紙カセット３０の指定が有効に行われた場合は、その給紙カセット３０が登録対象として制御システムに認識され（ステップ１０７）、給紙カセット３０の指定が無効である場合は、ステップ１０５の処理が繰り返される。
【００９２】
ステップ１０７で登録対象の給紙カセット３０が特定されると、ステップ１０８・１０９・１１０で、登録対象の用紙がどこにセットされたかが判定される。そして、ステップ１０８・１０９・１１０の判定結果に基づいて、ＦＢＳ式、プリンタ式、ＳＦＳ式のどの検出手段を利用して、用紙サイズ情報の特定を行う必要があるかが、制御システムで認識される。
【００９３】
ステップ１０８では、サイズ情報検出対象の用紙がＦＢＳのプラテンガラス２３上にセットされたか否か、が判定される。
用紙のプラテンガラス２３上へのセットの有無は、プラテンカバー２４の閉鎖動作に伴って、プラテンガラス２３上の原稿の有無がミラーキャリッジ２６および副走査方向幅検出センサ４５により検出されることにより判定される。したがって、用紙がプラテンガラス２３上にセットされている場合は、これらのセンサの検出結果に基づいて、用紙サイズ情報も同時に特定され（ステップ１１１）、ＭＰＵ１５の処理が登録処理開始の待機状態に移行する（ステップ１１２）。ステップ１１５では、キー操作部１２上のスタートキーが押下されて、制御システムに登録開始の指令が入力されたか否かが判定され、登録開始指令が入力されない限り、ステップ１１５の判定が繰り返される（待機状態）。
また、用紙がプラテンガラス２３上にセットされていない場合は、ＭＰＵ１５の処理がステップ１０９に移行する。
【００９４】
ステップ１０９では、サイズ情報検出対象の用紙がプリンタ４の用紙手差しトレイ２０にセットされたか否か、が判定される。この判定は、用紙有無検出センサ３６の検出信号に基づいて行われる。
そして、用紙が用紙手差しトレイ２０にセットされている場合は、ＭＰＵ１５の処理が、登録処理開始の待機状態に移行する（ステップ１１３）。つまり、ステップ１１３では、キー操作部１２上のスタートキーが押下されて、制御システムに登録開始の指令が入力されたか否かが判定され、登録開始指令が入力されない限り、ステップ１１３の判定が繰り返される（待機状態）。
登録開始が指令されると、用紙幅検出手段４６と、原稿検出センサ３９とからの検出信号に基づいて、用紙手差しトレイ２０上の用紙の用紙サイズ情報が、ＭＰＵ１５で特定される（ステップ１１４）。
一方、ステップ１０９の判定で、用紙が用紙手差しトレイ２０にセットされていないと判定されると、ＭＰＵ１５の処理がステップ１１０に移行する。
【００９５】
ステップ１１０では、サイズ情報検出対象の用紙が、ＡＤＦ３の原稿給紙トレイ２２にセットされたか否か、が判定される。用紙が原稿給紙トレイ２２にセットされた場合は、この判定は、原稿有無検出センサ４１の検出信号に基づいて行われる。
そして、用紙が原稿給紙トレイ２２にセットされている場合は、ＭＰＵ１５の処理が、登録処理開始の待機状態に移行する（ステップ１１５）。つまり、ステップ１１５では、キー操作部１２上のスタートキーが押下されて、制御システムに登録開始の指令が入力されたか否かが判定され、登録開始指令が入力されない限り、ステップ１１５の判定が繰り返される（待機状態）。
登録開始が指令されると、ミラーキャリッジ２６と、原稿検出センサ４１とからの検出信号に基づいて、原稿給紙トレイ２２上の用紙の用紙サイズ情報が、ＭＰＵ１５で特定される（ステップ１１６）。
一方、ステップ１１０の判定で、用紙が原稿給紙トレイ２２にセットされていないと判定されると、ステップ１０８の処理が繰り返される。つまり、ステップ１０８・１０９・１１０で、登録対象の用紙がどこかにセットされたことが検出されるまで、ステップ１０８・１０９・１１０が繰り返し実行される。
【００９６】
ステップ１１７では、用紙サイズの登録処理が実行される。ＭＰＵ１５の処理がステップ１１７に移行する場合としては、ステップ１１２・１１５・１１６のいずれかで、登録開始指令の入力が行われた（検出された）場合である。
具体的には、ＭＰＵ１５が、特定された給紙カセット３０と、特定された用紙サイズ情報とを、対応付けた登録情報を作成し、その登録情報を記憶装置（ＲＡＡＭ１７）に記憶させる。
以上のようにして、給紙カセット３０Ａ・３０Ｂ・３０Ｃのどれに、どのようなサイズの用紙が収容されているかが、制御システムに登録される。
【００９７】
なお、図８に示すフローは、一つの給紙カセット３０に対するサイズ登録の手順を示すものであるが、複合機１００に備えるすべての給紙カセット３０に対して、同様の手順でサイズ情報の登録を行うことが可能である。
【００９８】
以上で説明した複合機１００における用紙サイズ登録に関して、まとめる。
複合機１００は、用紙サイズ情報の検知機能を備えるＦＢＳと、プリンタ４用の給紙カセット３０Ａ・３０Ｂ・３０Ｃと、用紙サイズ情報と給紙カセット３０Ａ・３０Ｂ・３０Ｃとを対応付けて記憶する記憶手段（ＲＯＭ１７）と、を備える画像形成装置である。ここで、複合機１００に備えるスキャナ２自体がＦＢＳに相当する。
また、複合機１００の制御モードを、給紙カセット３０に対して用紙サイズ情報を登録する登録モードに設定するモード設定手段と、登録対象の給紙カセット３０を特定するカセット特定手段と、を備えている。モード設定手段は、ＭＰＵ１５と第一モード設定プログラム５０とからなる。カセット特定手段としては、給紙カセット３０の開閉操作に基づいて作動する第一特定手段（ＭＰＵ１５＋第二特定プログラム５１）と、コントロールパネル１８上での入力操作に基づいて作動する第二特定手段（ＭＰＵ１５＋第二特定プログラム５２）とがある。
【００９９】
そして、用紙サイズの登録モードにおいて、制御装置であるＭＰＵ１５は、ＦＢＳで検知された用紙サイズ情報と、登録対象の給紙カセット３０とを、対応付けて記憶装置（ＲＡＭ１７）に記憶させる。
【０１００】
このため、用紙サイズ情報が、ＦＢＳの機能を利用して自動的に制御装置（ＭＰＵ１５）で特定される。
また、登録対象の給紙カセット３０の直上に、用紙の検出台としてのプラテンガラス２３が位置する。
【０１０１】
したがって、用紙サイズ情報を制御装置（ＭＰＵ１５）に認識させる際に、コントロールパネル１８上での手入力作業を行う必要がなく、入力ミスが防止されると共に、登録における作業性が向上する。
また、用紙サイズ情報検出においてＦＢＳの機能を利用するため、ＳＦＳやプリンタ４の機能を利用する場合のように、用紙のサイズ情報検出時に用紙が搬送機構により搬送されることがないので、検出用の用紙にダメージを与えることがない。
また、給紙カセット３０の直上にプラテンガラス２３が位置するので、サイズ情報検出用の用紙をプラテンガラス２３上に配置する場合に、給紙カセット３０内での配置の向きと違う向きに配置してしまうような、セット向きのミスを起こしにくい。
【０１０２】
本実施の形態の複合機１００では、カセット特定手段として、第一特定手段および第二特定手段の二つを備える構成であるが、どちらか一方のみであってもよく、あるいは別の特定手段を備える構成であっても、前述の作用・効果は実現される。
【０１０３】
また、複合機１００は、複数の給紙カセット３０Ａ・３０Ｂ・３０Ｃを備えると共に、各給紙カセット３０にそれぞれ、その開閉状態を検知する開閉検出センサ３１・３１・３１を備えている。
そして、カセット特定手段である前記第一特定手段を、開閉検出センサ３１・３１・３１からの検知信号に基づいて、登録対象の給紙カセット３０を特定する手段として構成している。
【０１０４】
このため、登録対象とされる給紙カセット３０が、自動的に制御装置（ＭＰＵ１５）で特定される。
【０１０５】
したがって、登録対象とする給紙カセット３０を制御装置（ＭＰＵ１５）に認識させる際に、コントロールパネル１８上での手入力作業を行う必要がなく、入力ミスが防止されると共に、登録における作業性が向上する。
【０１０６】
特に、本実施の形態では、各給紙カセット３０の開閉状態に基づいて、登録対象とする給紙カセット３０を特定する条件を、開放状態の給紙カセット３０が一つだけ存在する場合としている。そして、その給紙カセット３０が登録対象として認識される。
この特定条件に代えて、所定の特定時点（例えば、サイズ登録モードの設定時点）で、最近閉鎖された給紙カセット３０を、登録対象として制御装置（ＭＰＵ１５）が認識するものとしても良い。
そして、カセット特定手段をどちらで構成する場合であっても、前述の作用・効果は実現される。
【０１０７】
また、複合機１００は、各給紙カセット３０の開閉状態を検知する開閉検出センサ３１・３１・３１に加えて、給紙カセット３０の開放状態の検知に基づいて、画像形成装置の制御モードを、給紙カセット３０に対する用紙サイズの登録モードに設定するモード設定手段を備えている。
【０１０８】
このため、給紙カセット３０が開放されると、制御装置（ＭＰＵ１５）に、サイズ登録モードの設定が指令される。
したがって、サイズ登録モードの設定において、コントロールパネル１８上での手入力作業を行う必要が無く、入力ミスが防止されると共に、登録における作業性が向上する。
【０１０９】
また、登録モードにおいて、複合機１００の制御装置（ＭＰＵ１５）は、開放状態の給紙カセット３０が一つの場合は、その給紙カセット３０を登録対象の給紙カセットとして認識する。
【０１１０】
このため、登録対象の給紙カセット３０が自動的に認識される。
したがって、登録対象とする給紙カセット３０を制御装置（ＭＰＵ１５）に認識させる際に、コントロールパネル１８上での手入力作業を行う必要がなく、入力ミスが防止されると共に、登録における作業性が向上する。
【０１１１】
なお、本実施の形態では、プリンタ４（画像形成装置本体）だけでなく、ＦＢＳおよびＳＦＳを備える複合機１００とし、用紙のサイズ情報検出手段を三組備える構成である。
前述の作用・効果は、ＦＢＳ、ＳＦＳ、プリンタ４のいずれかのサイズ情報検出機能を利用して、制御システムにサイズ情報を特定させる場合に、限定されない。キー操作部１２での入力操作で、用紙サイズ情報を制御システムに特定させる構成とした場合であっても、成り立つものである。つまり、ＦＢＳやＳＦＳを備えない画像形成装置であっても、前述の作用・効果が期待できる。
【０１１２】
次に、図９を用いて、第二の実施の形態である複合機２００について説明する。
複合機２００は、前記複合機１００と、装置構成の点において同一に構成されている。このため、図９において、対応する装置を、複合機１００と複合機２００とで、同一の符号を用いて図示している。
【０１１３】
複合機２００と複合機１００とで相違するのは、ＲＯＭ１６内に記憶されるモード設定プログラムの内容である。複合機１００のＲＯＭ１６には、第一モード設定プログラム５０が記憶されている（図４）のに対し、複合機１００のＲＯＭ１６には、第二モード設定プログラム１５０が記憶されている（図９）。
第二モード設定プログラム１５０も、サイズ登録処理に関わるプログラムの集合体であり、サイズ登録モードの処理手順に関するプログラムだけでなく、所定の条件が満たされた場合にサイズ登録モードを実行させるプログラムも含んでいる。
また、第二モード設定プログラム１５０によるサイズ登録処理においては、登録対象の給紙カセット３０の特定は、開放状態の給紙カセット３０を登録対象と認識する前記第一特定手段により行われるものとなっている。これに対応して、複合機２００のＲＯＭ１６には、第一特定手段に関わる第一特定プログラム５１が記憶されている。
【０１１４】
図１０を用いて、第二モード設定プログラム１５０によるサイズ登録モードの処理について説明する。
制御システムの制御モードがサイズ登録モードに設定されるのは、開状態の給紙カセット３０が一つ存在すると共に、サイズ登録対象となる用紙が、登録用のセット位置にセットされた状態となった場合である。
そして、サイズ登録モードの設定が行われると、複合機２００において、自動的にサイズ登録処理が実行される。これについて、以下で詳しく説明する。
【０１１５】
まず、ステップ２０１では、開放状態の給紙カセット３０が一つだけ存在するか否かがＭＰＵ１５で判定される。この判定は、給紙カセット３０の開閉状態を検出する開閉検出センサ３１からの検出信号に基づいて行われる。
そして、存在する場合は、その給紙カセット３０が登録対象として制御システムに認識され（ステップ２０２）、存在しない場合は、ＭＰＵ１５の処理がステップ２０３に移行する。
【０１１６】
ステップ２０３・２０４・２０５では、第一に、登録対象の用紙が、登録用セット位置にセットされたか否かが判定される。
ここで、登録用セット位置への用紙のセットとは、用紙サイズの検出が用紙サイズ検出手段で可能となるようなセットのことを意味している。つまり、そして、用紙プラテンガラス２３、用紙手差しトレイ２０、原稿給紙トレイ２２のいずれかにセットされた場合のことを意味する。
また、第二に、ステップ２０３・２０４・２０５での判定を経ることで、登録対象の用紙が、どの登録用セット位置にセットされたかが判定される。
【０１１７】
ステップ２０３では、サイズ情報検出対象の用紙が、登録用セット位置としてのプラテンガラス２３上にセットされたか否か、が判定される。
用紙のプラテンガラス２３上へのセットの有無は、プラテンカバー２４の閉鎖動作に伴って、プラテンガラス２３上の原稿の有無がミラーキャリッジ２６および副走査方向幅検出センサ４５により検出されることにより判定される。したがって、用紙がプラテンガラス２３上にセットされている場合は、これらのセンサの検出結果に基づいて、用紙サイズ情報も同時に特定される（ステップ２０６）。
【０１１８】
そして、ＭＰＵ１５に、登録用セット位置（プラテンガラス２３）への用紙のセットがＭＰＵ１５で認識されると、サイズ登録モードの実行が開始される（ステップ２０７）。
この後、ＭＰＵ１５の処理が登録処理開始の待機状態に移行する（ステップ２０８）。ステップ２０８では、キー操作部１２上のスタートキーが押下されて、制御システムに登録開始の指令が入力されたか否かが判定され、登録開始指令が入力されない限り、ステップ２０８の判定が繰り返される（待機状態）。つまり、該スタートキーは、サイズ登録処理における登録開始の指令手段である。
また、用紙がプラテンガラス２３上にセットされていない場合は、ＭＰＵ１５の処理がステップ２０４に移行する。
【０１１９】
ステップ２０４では、サイズ情報検出対象の用紙が、登録用セット位置としての用紙手差しトレイ２０にセットされたか否か、が判定される。この判定は、用紙有無検出センサ３６の検出信号に基づいて行われる。
そして、用紙が登録用セット位置（用紙手差しトレイ２０）にセットされている場合は、ＭＰＵ１５の処理が、サイズ登録モードの実行が開始される（ステップ２０９）。
この後、ＭＰＵ１５の処理が登録処理開始の待機状態に移行する（ステップ２１０）。つまり、ステップ２１０では、キー操作部１２上のスタートキーが押下されて、制御システムに登録開始の指令が入力されたか否かが判定され、登録開始指令が入力されない限り、ステップ１１３の判定が繰り返される（待機状態）。つまり、該スタートキーは、サイズ登録処理における登録開始の指令手段である。
登録開始が指令されると、用紙幅検出手段４６と、原稿検出センサ３９とからの検出信号に基づいて、用紙手差しトレイ２０上の用紙の用紙サイズ情報が、ＭＰＵ１５で特定される（ステップ２１１）。
一方、ステップ２０４の判定で、用紙が用紙手差しトレイ２０にセットされていないと判定されると、ＭＰＵ１５の処理がステップ２０５に移行する。
【０１２０】
ステップ２０５では、サイズ情報検出対象の用紙が、登録用セット位置としての原稿給紙トレイ２２にセットされたか否か、が判定される。用紙が原稿給紙トレイ２２にセットされた場合は、この判定は、原稿有無検出センサ４１の検出信号に基づいて行われる。
そして、用紙が登録用セット位置（原稿給紙トレイ２２）にセットされている場合は、ＭＰＵ１５の処理が、サイズ登録モードの実行が開始される（ステップ２１２）。
この後、ＭＰＵ１５の処理が登録処理開始の待機状態に移行する（ステップ２１３）。つまり、ステップ１１５では、キー操作部１２上のスタートキーが押下されて、制御システムに登録開始の指令が入力されたか否かが判定され、登録開始指令が入力されない限り、ステップ１１５の判定が繰り返される（待機状態）。
登録開始が指令されると、ミラーキャリッジ２６と、原稿検出センサ４１とからの検出信号に基づいて、原稿給紙トレイ２２上の用紙の用紙サイズ情報が、ＭＰＵ１５で特定される（ステップ２１４）。
一方、ステップ２０５の判定で、用紙が原稿給紙トレイ２２にセットされていないと判定されると、ステップ２０３の処理が繰り返される。つまり、ステップ２０３・２０４・２０５で、登録対象の用紙がどこかにセットされたことが検出されるまで、ステップ２０３・２０４・２０５が繰り返し実行される。
【０１２１】
ステップ２１５では、用紙サイズの登録処理が実行される。具体的には、ＭＰＵ１５が、特定された給紙カセット３０と、特定された用紙サイズ情報とを、対応付けた登録情報を作成し、その登録情報を記憶装置（ＲＡＭ１７）に記憶させる。
以上のようにして、給紙カセット３０Ａ・３０Ｂ・３０Ｃのどれに、どのようなサイズの用紙が収容されているかが、制御システムに登録される。
【０１２２】
なお、図１０に示すフローは、一つの給紙カセット３０に対するサイズ登録の手順を示すものであるが、複合機２００に備えるすべての給紙カセット３０に対して、同様の手順でサイズ情報の登録を行うことが可能である。
【０１２３】
以上で説明した複合機２００における用紙サイズ登録に関して、まとめる。
まず、複合機２００は、プリンタ４用の給紙カセット３０と、給紙カセット３０の開閉状態を検知する開閉検出センサ３１と、用紙サイズ情報を検出する用紙サイズ検出手段と、用紙サイズ情報と給紙カセットとを対応付けて記憶する記憶手段（ＲＡＭ１７）と、を備える画像形成装置である。用紙サイズ検出手段としては、ＦＢＳ式の一組の検出手段（ミラーキャリッジ２６および副走査方向幅検出センサ４５）、プリンタ式の一組の検出手段（用紙幅検出手段４６および原稿検出センサ３９）、ＳＦＳ式の一組の検出手段（ミラーキャリッジ２６および原稿検出センサ４１）がある。
【０１２４】
また、複合機２００には、登録対象の用紙が用紙サイズ検出手段に対応するセット位置にセットされたか否かを検出する用紙セット検出手段が備えられている。この登録用のセット位置は、ＦＢＳ式の場合はプラテンガラス２３であり、プリンタ式の場合は用紙手差しトレイ２０であり、ＳＦＳ式の場合は原稿給紙トレイ２２である。
加えて、登録開始を指令する登録開始指令手段（キー操作部１２上のスタートキー）と、給紙カセット３０の開放状態かつ用紙セットが検出された状態で登録開始が指令された場合に、用紙サイズの検出を指令すると共に、検出された用紙サイズ情報を給紙カセット３０と対応付けて前記記憶装置（ＲＡＭ１７）に記憶させる制御装置（ＭＰＵ１５）と、が備えられている。
【０１２５】
このため、登録対象の給紙カセット３０を開放し、登録対象の用紙を登録用セット位置に配置して、登録開始指令手段を操作する（スタートキーを押下する）と、自動的にサイズ登録が行われる。
したがって、給紙カセット３０に対する用紙サイズの登録が、コントロールパネル１８上での手入力作業を行うことなく実行され、入力ミスが防止されると共に、登録作業における作業性が向上する。
【図面の簡単な説明】
【０１２６】
【図１】プラテンカバーを閉鎖した状態の複合機を示す斜視図である。
【図２】プラテンカバーを開放した状態の複合機を示す斜視図である。
【図３】開放状態の用紙手差しトレイを示す斜視図である。
【図４】複合機の概略構成を示すブロック図である。
【図５】プリンタおよび多段給紙装置の構成を示す概略正面図である。
【図６】スキャナのケーシングの上面を示す平面図である。
【図７】ＡＤＦの構成を示す概略正面図である。
【図８】サイズ登録モードの処理フロー図である。
【図９】第二の実施の形態である複合機の概略構成を示すブロック図である。
【図１０】第二の実施の形態におけるサイズ登録モードの処理フロー図である。
【符号の説明】
【０１２７】
１    複合機
２    スキャナ
３    ＡＤＦ
４    プリンタ
５    多段給紙装置
１５    ＭＰＵ
１７    ＲＡＭ
３０    給紙カセット
３１    開閉検出センサ
【図１】
2005187099.tif 000003
【図２】
2005187099.tif 000004
【図３】
2005187099.tif 000005
【図４】
2005187099.tif 000006
【図５】
2005187099.tif 000007
【図６】
2005187099.tif 000008
【図７】
2005187099.tif 000009
【図８】
2005187099.tif 000010
【図９】
2005187099.tif 000011
【図１０】
2005187099.tif 000012